(57)【要約】  本開示によれば、複数の機器と、複数の前記機器とＩＰ伝送路で接続されたネットワーク管理装置と、を備え、前記ネットワーク管理装置（１００）は、複数の前記機器が接続される経路の設定と、複数の前記機器を制御するパラメータの設定とを実行する設定実行部（１１６）を有する、ネットワークシステムが提供される。この構成により、複数の機器が接続されたシステムにおいて、接続経路と機器の設定を自由に行うことができる。
2020054391.tif 000002
【特許請求の範囲】
【請求項１】
複数の機器と、
複数の前記機器とＩＰ伝送路で接続されたネットワーク管理装置と、を備え、
前記ネットワーク管理装置は、
複数の前記機器のうち、少なくとも一部の機器が接続される経路の設定と、接続される前記少なくとも一部の機器の制御に関するパラメータの設定とを実行する設定実行部を有する、ネットワークシステム。
【請求項２】
前記ネットワーク管理装置は、
複数の前記機器の設定に関する設定情報を登録する設定情報登録部を有し、
前記設定実行部は、前記設定情報に基づいて前記設定を実行する、請求項１に記載のネットワークシステム。
【請求項３】
前記設定情報登録部は、ユーザが入力した情報に基づいて前記設定情報を登録する、請求項２に記載のネットワークシステム。
【請求項４】
前記ネットワーク管理装置は、
前記設定情報を保持する設定情報保持部を有する、請求項２に記載のネットワークシステム。
【請求項５】
前記ネットワーク管理装置は、
前記設定実行部による前記設定の実行のスケジュールを管理するスケジュール管理部を有する、請求項１に記載のネットワークシステム。
【請求項６】
前記ネットワーク管理装置は、
複数の前記機器が接続されていることを認識する機器認識部を有し、前記設定実行部は、接続されていることが認識された複数の前記機器について前記設定を実行する、請求項１に記載のネットワークシステム。
【請求項７】
複数の前記機器は、前記経路を変更するネットワークスイッチを含み、前記設定実行部は、前記パラメータの設定により前記ネットワークスイッチの設定を変更する、請求項１に記載のネットワークシステム。
【請求項８】
複数の前記機器は映像機器を含み、前記設定実行部は、前記パラメータの設定により４ＫとＨＤの設定変更、画質設定の変更、又は動作周波数の変更を行う、請求項１に記載のネットワークシステム。
【請求項９】
複数の前記機器は、異なる位置に設置された複数のスタジオに含まれる、請求項１に記載のネットワークシステム。
【請求項１０】
複数の前記機器は、映像を撮影するための中継車に含まれる、請求項１に記載のネットワークシステム。
【請求項１１】
複数の機器とＩＰ伝送路で接続されたネットワーク管理装置であって、
複数の前記機器のうち、少なくとも一部の機器が接続される経路の設定と、接続される前記少なくとも一部の機器の制御に関するパラメータの設定とを実行する設定実行部を有する、ネットワーク管理装置。
【請求項１２】
複数の機器とＩＰ伝送路で接続されたネットワーク管理装置における方法であって、
複数の前記機器のうち、少なくとも一部の機器が接続される経路の設定と、接続される前記少なくとも一部の機器の制御に関するパラメータの設定とを実行することを有する、ネットワーク管理方法。
【発明の詳細な説明】
【技術分野】
【０００１】
本開示は、ネットワークシステム、ネットワーク管理装置、及びネットワーク管理方法に関する。
【背景技術】
【０００２】
従来、下記の特許文献１には、デバイスの負荷、可用性、容量、優先度、および能力に従ってデバイスにオペレーションを分配することを想定した技術が記載されている。
【先行技術文献】
【特許文献】
【０００３】
【特許文献１】特許第４２８３８５１号公報
【発明の概要】
【発明が解決しようとする課題】
【０００４】
例えば複数の映像機器などが接続されたシステムでは、機器同士が数１０ｋｍ離れた遠隔地に存在する場合においても、接続経路を自由に設定したい要望がある。また、１の機器について複数の異なる設定が可能な場合に、状況に応じた最適な設定を行いたい要望がある。【０００５】
上記特許文献には、デバイスにオペレーションを分配することが記載されているが、機器同士の接続経路を自由に設定することは想定していない。また、異なる設定が可能な任意の機器について、状況に応じた最適な設定を行うことも想定していない。【０００６】
そこで、複数の機器が接続されたシステムにおいて、接続経路と機器の設定を自由に行うことが望まれていた。
【課題を解決するための手段】
【０００７】
本開示によれば、複数の機器と、複数の前記機器とＩＰ伝送路で接続されたネットワーク管理装置と、を備え、前記ネットワーク管理装置は、複数の前記機器のうち、少なくとも一部の機器が接続される経路の設定と、接続される前記少なくとも一部の機器の制御に関するパラメータの設定とを実行する設定実行部を有する、ネットワークシステムが提供される。【０００８】
また、本開示によれば、複数の機器とＩＰ伝送路で接続されたネットワーク管理装置であって、複数の前記機器のうち、少なくとも一部の機器が接続される経路の設定と、接続される前記少なくとも一部の機器の制御に関するパラメータの設定とを実行する設定実行部を有する、ネットワーク管理装置が提供される。【０００９】
また、本開示によれば、複数の機器とＩＰ伝送路で接続されたネットワーク管理装置における方法であって、複数の前記機器のうち、少なくとも一部の機器が接続される経路の設定と、接続される前記少なくとも一部の機器の制御に関するパラメータの設定とを実行することを有する、ネットワーク管理方法が提供される。
【発明の効果】
【００１０】
以上説明したように本開示によれば、複数の機器が接続されたシステムにおいて、接続経路と機器の設定を自由に行うことができる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るシステムの構成を示す模式図である。
【図２】本開示のシステムにより実現される動作の具体例を説明するための模式図である。
【図３】本開示のシステムにより実現される動作の具体例を説明するための模式図である。
【図４】ＴＶの番組（プログラム）に応じた各機器のパラメータの設定を示す模式図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
２．システムの構成例
３．システムによる動作の具体例
【００１４】
１．概要
本開示は、複数の機器とサーバが接続されたシステムに関する。より具体的には、本開示は、例えば放送局がＴＶ番組を制作する際に使用するシステムに関する。
【００１５】
現状、例えばスタジアム内のスポーツを中継する番組を制作する際には、中継車を現地に派遣し、スタジアム内に配置された複数のカメラと中継車を接続する。この接続では、一般的に、ＳＤＩ（Serial  Digital  Interface）と称する高速シリアル・インターフェイス規格により接続が行われ、カメラから中継車へデジタル映像信号とデジタル音声信号が送られる。
【００１６】
しかし、上記のような中継の現場では、中継車と各カメラがＳＤＩにより接続されるため、距離的な制約が生じることになる。例えば中継車と各カメラが数十ｋｍも離れているような状況下では、同様のシステムを構築することは困難である。また、中継車の設定は、番組を撮影する環境の相違（スタジアムやコンサートホールなどの施設の相違、カメラ設置場所の相違、撮影場所の明るさの相違、屋内と屋外の相違など）によって異なり、環境に合わせて人が中継車の設定を行っているのが実情である。
【００１７】
また、例えば放送局内においては、ニュース番組やバラエティ番組など多様な番組を撮影するため、複数のスタジオが存在する。これらの複数のスタジオは、全てのスタジオが常に稼働しているわけではなく、撮影が行われないスタジオ内は稼働していない。この際、稼働していないスタジオに関連する機器は有効に活用されていない状態となる。
【００１８】
上記に鑑み、本開示では、現地へ派遣する機材や人員の最小化による製作コストの削減を図り、距離的な制約を解消するリモートインテグレーション（Ｒｅｍｏｔｅ  Ｉｎｔｅｇｒａｔｉｏｎ）の実現を想定する。また、上記に鑑み、本開示では、複数のスタジオ、コントロールルームの自由な組み合わせ、番組規模に応じたダイナミックなリソース割り当てによる設備の稼働率アップを達成するシェアードインテグレーション（Ｓｈａｒｅｄ  Ｐｒｏｄｕｃｔｉｏｎ）の実現を想定する。リモートインテグレーションとシェアードインテグレーションを組み合わせることで、機器や人の有効活用が可能となり、番組などの製作コストを大幅に低減することができる。
【００１９】
そして、本開示では、上述したリモートインテグレーションとシェアードインテグレーションを実現するために、ＦＭＳ（Ｆａｃｉｌｉｔｙ  Ｍａｎａｇｅｍｅｎｔ  Ｓｏｆｔｗａｒｅ）のシステムの仕組みを導入する。ＦＭＳを利用したシステムでは、カメラなどの撮影機器、スタジオ内の機器などとＦＭＳサーバがＩＰで接続され、距離的な制約が解消される。また、ＦＭＳサーバの設定情報に基づいて各種機器の設定を行うため、機器の設定を迅速に切り換えることができ、稼働していないスタジオなどの有効活用を実現できる。以下では、本開示に係るＦＭＳを利用したシステムについて詳細に説明する。
【００２０】
２．システムの構成例
図１は、本開示の一実施形態に係るシステム１０００の構成を示す模式図である。図１に示すように、このシステム１０００はＦＭＳサーバ（ネットワーク管理装置）１００と、ＩＰルータシステム２００、カメラシステム２１０、スイッチャーシステム２２０、サーバーシステム２３０、モニターシステム２４０、３ｒｄパーティーシステム２５０を有している。ＦＭＳサーバ１００に対して、ＩＰルータシステム２００、カメラシステム２１０、スイッチャーシステム２２０、サーバーシステム２３０、モニターシステム２４０、３ｒｄパーティーシステム２５０がＩＰで接続されている。また、ＦＭＳサーバ１００に対して、ＧＵＩ（Ｇｒａｐｈｉｃａｌ  Ｕｓｅｒ  Ｉｎｔｅｒｆａｃｅ）２８０が接続されている。ＧＵＩ２８０は、ノートＰＣなどのクライアント端末であっても良い。
【００２１】
カメラシステム２１０は、例えばＦＭＳサーバ１００を提供する側と同じサプライヤーから提供される機器を有するシステムである。一方、３ｒｄパーティーシステム２５０は、ＦＭＳサーバ１００を提供する側と異なるサプライヤーから提供される機器を有するシステムである。スイッチャーシステム２２０は、ビデオ切り替え、ＣＧ合成などの機能を備えた機器を有するシステムである。また、サーバーシステム２３０はスローやリプレー再生などを行う機器を有するシステムであり、モニターシステム２４０はビデオエンジニアなどが映像を確認するための機器を有するシステムである。
【００２２】
ＦＭＳサーバ１００は、ＦＭＳアプリケーション１０２のソフトウェア（プログラム）がインストールされることにより構成され、その機能を発揮するためのコアエンジン（Ｃｏｒｅ  Ｅｎｇｉｎｅ）１１０を備えている。ＦＭＳサーバ１００は、その機能ブロックとして、機器認識部１１２、設定情報登録部１１４、設定情報保持部１１５、設定実行部１１６、スケジュール管理部１１８、を有して構成されている。また、ＦＭＳサーバ１００は、ＩＰルータシステム２００、カメラシステム２１０、スイッチャーシステム２２０、サーバーシステム２３０、モニターシステム２４０との接続のインタフェースである第１のデバイスドライバ１３０を有している。また、ＦＭＳサーバ１００は、３ｒｄパーティーシステム２５０との接続のインタフェースである第２のデバイスドライバ１４０を有している。複数のデバイスドライバが、メーカ毎、またはＯＳに応じて設けられていても良い。機器認識部１１２、設定情報登録部１１４、設定情報保持部１１５、設定実行部１１６、スケジュール管理部１１８の各機能ブロックは、ＦＭＳサーバ１００が備えるＣＰＵなどの中央演算処理装置とこれを機能させるためのプログラム（ソフトウェア）から構成されるか、又は回路（ハードウェア）から構成されている。
【００２３】
機器認識部１１２は、ＦＭＳサーバ１００に接続された各種機器と情報をやり取りすることで、各種機器のそれぞれが接続されていることを認識し、また各種機器の設定状態を認識する。図１において、ＩＰルータシステム２００、カメラシステム２１０、スイッチャーシステム２２０、サーバーシステム２３０、モニターシステム２４０、３ｒｄパーティーシステム２５０は、ＦＭＳサーバ１００に接続されている。従って、機器認識部１１２により、これらの機器が接続されていること、及び、これらの機器の設定状態、が認識される。
【００２４】
ユーザは、例えばＧＵＩ２８０を操作することで、ＦＭＳサーバ１００に接続された機器を所望の設定にすることができる。設定情報登録部１１４は、ユーザがＧＵＩ２８０を操作して入力した設定情報をＦＭＳサーバ１００に登録する。設定情報登録部１１４は、他の方法によって設定された設定情報をＦＭＳサーバ１００に登録することもできる。また、設定情報保持部１１５は、設定情報登録部１１４が登録した設定情報を保持する。
【００２５】
設定実行部１１６は、設定情報登録部１１４が登録した設定情報をＩＰルータシステム２００、カメラシステム２１０、スイッチャーシステム２２０、サーバーシステム２３０、モニターシステム２４０、３ｒｄパーティーシステム２５０などの各機器に送り、各機器の設定を行う。なお、カメラシステム２１０、スイッチャーシステム２２０、サーバーシステム２３０、モニターシステム２４０の各機器の設定は、第１のデバイスドライバ１３０を介して行われる。また、３ｒｄパーティーシステム２５０の機器の設定は、第２のデバイスドライバ１４０を介して行われる。
【００２６】
スケジュール管理部１１８は、時刻情報に基づいて各機器の設定を管理する。例えば、カメラシステム２１０のカメラが所定の時刻にオンになるような設定がされている場合、スケジュール管理部１１８が所定の時刻を管理することで、設定実行部１１６が所定の時刻にカメラをオンにする。
【００２７】
以上のように構成されたＦＭＳサーバ１００によれば、ＦＭＳサーバ１００に接続された各種機器の設定情報がＦＭＳサーバ１００側で認識され、また、ユーザによる設定情報が各機器に反映される。ＦＭＳサーバ１００とＩＰルータシステム２００、カメラシステム２１０、スイッチャーシステム２２０、サーバーシステム２３０、モニターシステム２４０、３ｒｄパーティーシステム２５０などの各機器はＩＰネットワークで接続されているため、遠隔地の機器に対しても自由に設定を変更することが可能となる。この際、ＩＰルータシステム２００の設定を変えることで、カメラシステム２１０のカメラなど各機器への経路を自由に設定することが可能である。また、ＩＰルータシステム２００、カメラシステム２１０、スイッチャーシステム２２０、サーバーシステム２３０、モニターシステム２４０、３ｒｄパーティーシステム２５０などの各機器が複数のスタジオに接続されている場合に、各機器の設定を最適に行うことで、各機器を複数のスタジオで共有することが可能となる。以上により、上述したリモートインテグレーションとシェアードインテグレーションを実現することができる。
【００２８】
３．システムによる動作の具体例
次に、本開示のシステム１０００により実現される動作の具体例について説明する。図２及び図３は、本開示のシステム１０００により実現される動作の具体例を説明するための模式図である。
【００２９】
図２及び図３に示す例では、各機器を利用する拠点として、コントロール拠点３００と、主に４Ｋ対応の機器で構成されたローカルスタジオ４００と、主にＨＤ対応の機器で構成されたリモートスタジオ５００が構成されている。ローカルスタジオ４００はコントロール拠点３００と比較的近い位置に設けられ、リモートスタジオ５００はコントロール拠点３００から例えば数十ｋｍ程度離れた遠隔地に設けられている。なお、各機器は、ライブ映像などを撮影するための中継車に設けられていても良い。
【００３０】
コントロール拠点３００には、モニター３１０、パネル３２０、マルチビューアー３３０、システムコントローラ３４０、ネットワークスイッチ３５０、収録サーバ３６０が備えられている。なお、モニター３１０、パネル３２０、マルチビューアー３３０はコントロール拠点３００のコントロールルームに設けられ、システムコントローラ３４０、ネットワークスイッチ３５０、収録サーバ３６０はコントロール拠点３００のマシンルームに設けられている。
【００３１】
ローカルスタジオ４００には、複数のカメラ４１０，４２０，４３０，４４０，４５０と、カメラ４１０，４２０，４３０，４４０，４５０を制御するカメラコントロールユニット４６０が備えられている。
【００３２】
リモートスタジオ５００には、監視カメラ５１０、ビデオスイッチャー５２０、オーディオシステム（不図示）が備えられている。
【００３３】
本開示のシステム１０００によれば、コントロール拠点３００、ローカルスタジオ４００、リモートスタジオ５００のそれぞれが備える各種機器について、設定を行うことができる。設定は、上述したＩＰルータシステム２００（図２及び図３のネットワークスイッチ３５０に相当）の設定による伝送経路の設定と、各機器の制御に関するパラメータの設定による各機器の設定に大別することができる。
【００３４】
図２と図３とでは、伝送経路の設定が異なっている。伝送経路を設定することで、コントロール拠点３００、ローカルスタジオ４００、リモートスタジオ５００のそれぞれが備える各種機器のうち、所望の機器が伝送経路に接続される。図２及び図３において、伝送経路に接続されている機器は実線で示し、伝送経路に接続されていない機器は破線で示している。
【００３５】
図２に示す状態では、伝送経路を設定することで、コントロール拠点３００に属するモニター３１０、パネル３２０、マルチビューアー３３０、システムコントローラ３４０、ネットワークスイッチ３５０、収録サーバ３６０が伝送経路に接続されている。また、ローカルスタジオ４００に属するカメラ４１０，４２０，４３０，４４０，４５０、カメラコントロールユニット４６０のうち、カメラ４２０，４３０，４４０，４５０、カメラコントロールユニット４６０が伝送経路に接続されている。また、図２に示す状態では、リモートスタジオ５００に属する機器は全て伝送経路に接続されていない。
【００３６】
また、図３に示す状態では、コントロール拠点３００に属する機器のうち、収録サーバ３６０は伝送経路に接続されていない。また、図３に示す状態では、ローカルスタジオ４００に属するカメラ４１０，４２０，４３０，４４０，４５０、カメラコントロールユニット４６０のうち、カメラ４１０のみが伝送経路に接続されている。また、図３に示す状態では、リモートスタジオ５００に属する機器のうち、監視カメラ５１０とビデオスイッチャー５２０が伝送経路に接続されている。
【００３７】
以上のように、ＦＭＳサーバ１００からネットワークスイッチ３５０の設定を行うことで、コントロール拠点３００、ローカルスタジオ４００、及びリモートスタジオ５００の間の相互の接続を自由に設定することができる。これにより、上述したリモートインテグレーションを実現することが可能となる。なお、ＦＭＳサーバ１００の配置場所は、コントロール拠点３００のマシンルーム、またはリモートスタジオ５００であっても良い。
【００３８】
また、本開示のシステム１０００によれば、コントロール拠点３００、ローカルスタジオ４００、リモートスタジオ５００のそれぞれが備える各種機器を制御するパラメータについて、ＦＭＳサーバ１００から設定を行うことができる。
【００３９】
以下では、各機器が可能な設定について説明する。コントロール拠点３００に属する機器では、モニター３１０は、インプットの選択、４Ｋ／ＨＤの変更、画質設定プリセットの呼び出し、に関する設定変更が可能である。パネル３２０は、ボタンに割り当てる機能の切り換え、制御対象の変更、に関する設定変更が可能である。マルチビューアー３３０は、画面レイアウトの変更に関する設定変更が可能である。システムコントローラ３４０は、映像と音声の経路変更、クロスポイントマトリクスの変更、システム同期設定の変更、制御対象機器の部分的な設定変更、に関する設定変更が可能である。ネットワークスイッチ３５０は、機器の接続関係の変更、伝送帯域保証のための設定の変更、に関する設定変更が可能である。収録サーバ３６０は、記録コーデックの変更、動作周波数の変更、に関する設定変更が可能である。
【００４０】
また、ローカルスタジオ４００に属する機器では、複数のカメラ４１０，４２０，４３０，４４０，４５０は、４Ｋ／ＨＤの変更、画質設定（ゲイン、色味）の変更、動作周波数の変更、に関する設定変更が可能である。カメラコントロールユニット４６０も同様に、４Ｋ／ＨＤの変更、画質設定（ゲイン、色味）の変更、動作周波数の変更、に関する設定変更が可能である。
【００４１】
また、リモートスタジオ５００に属する機器では、ビデオスイッチャー５２０は、動作周波数の変更、収録時に利用する動画像データの入れ換え、マクロ機能の登録、に関する設定変更が可能である。また、リモートスタジオ５００に属するオーディオシステムは、ボリュームの調整、チャンネルの設定、に関する設定変更が可能である。
【００４２】
ＦＭＳサーバ１００から以上のような設定に関するパラメータの情報を各機器に送ることで、各機器の設定を自由に行うことができる。従って、上述したシェアードインテグレーションを実現することが可能である。
【００４３】
例えば、図２に示す状態では、コントロール拠点３００において、モニター３１０は、４Ｋ対応の設定が成されている。一方、図３に示す状態では、コントロール拠点３００において、モニター３１０は、ＨＤ対応の設定が成されている。このような設定は、ＦＭＳサーバ１００から設定のためのパラメータを送ることで、実現可能である。
【００４４】
ユーザは、４Ｋの機器で番組等の製作を行う場合は、ＧＵＩ２８０を操作することで４Ｋのローカルスタジオ４００を稼働させることができる。また、ＨＤの機器で番組等の製作を行う場合は、ＧＵＩ２８０を操作することでＨＤのリモートスタジオ５００を稼働させることができる。４Ｋのローカルスタジオ４００を稼働させる場合、４Ｋのカメラ４１０，４２０，４３０，４４０，４５０で撮影された映像が、４Ｋに設定されたコントロール拠点３００のモニター３１０に表示される。ＨＤのリモートスタジオ５００を稼働させる場合、ＨＤの監視カメラ５１０、ＨＤのビデオスイッチャー５２０が制御され、コントロール拠点３００にＨＤの映像が送られてモニター３１０に表示される。以上のように、コントロール拠点３００、ローカルスタジオ４００、リモートスタジオ５００のそれぞれにおいて、各機器の設定変更が可能な範囲で、各機器の設定を自由に行うことができる。
【００４５】
なお、コントロール拠点３００は複数設けられていても良いが、コントロール拠点３００の数は、ローカルスタジオ４００、リモートスタジオ５００などのスタジオの数よりも少なくすることができる。従って、スタジオ数よりも少ないコントロール拠点３００により複数のスタジオを制御することが可能である。
【００４６】
図４は、ＴＶの番組（プログラム）に応じた各機器のパラメータの設定を示す模式図である。プログラムの属性（「スタジオ」、「コンテンツの種類（４Ｋ／ＨＤ、ＨＤＲ／ＳＤＲ、スポーツ／バラエティなど）」、「中継の時間帯」などの１つまたは複数の要素の組み合わせ）に対して設定値を予め定めておく。特定のプログラム（番組）ごとに設定してもよい。
【００４７】
図４では、機器Ｘに対して、プログラムＡの場合に２つのパラメータ（設定パラメータ１、設定パラメータ２）の値ａ，ｂがそれぞれ定められている。また、機器Ｙに対して、プログラムＡの場合に３つのパラメータ（設定パラメータ３、設定パラメータ４、設定パラメータ５）の値ｃ，ｄ，ｅがそれぞれ定められている。なお、図４に示すように、パラメータの値の代わりにモードを定めても良い。
【００４８】
例えば、機器Ｘとしてコントロール拠点３００のパネル３２０を例に挙げると、上述のように、パネル３２０は、ボタンに割り当てる機能の切り換え、制御対象の変更、に関する設定変更が可能である。ボタンに割り当てる機能の切り換えに関するパラメータは、図４の設定パラメータ１に対応し、制御対象の変更に関するパラメータは図４の設定パラメータ２に対応する。従って、「ボタンに割り当てる機能の切り換え」は設定パラメータ１の値ａによって定められ、「制御対象の変更」は設定パラメータ２の値ｂによって定められることになる。
【００４９】
以上のように、プログラムの属性に応じて各機器の設定パラメータを予め定めておくことで、機器の設定をプログラムに応じて最適に行うことができる。
【００５０】
図４に示す設定パラメータの情報は、ＦＭＳサーバ１００の設定情報保持部１１５に保持されている。従って、ユーザがＧＵＩ３００からプログラムＡであることを指定すると、設定情報保持部１１５から各機器の設定パラメータが読み出され、設定実行部１１６により各機器の設定が行われる。
【００５１】
ユーザは、事前に時刻と番組（プログラム）を指定し、その番組の製作に使用する機器の予約を行うことができる。ＦＭＳサーバ１００は、ユーザが指定した時刻になると、事前に予約していた機器に接続し、且つそれぞれの機器の設定を、ユーザに指定された番組の設定に変更する。この際、図４に示す設定パラメータの情報は、ＦＭＳサーバ１００の設定情報保持部１１５に保持されている。従って、設定情報保持部１１５から各機器の設定パラメータが読み出され、設定実行部１１６により各機器の設定が行われる。
【００５２】
なお、自動スケジューリングを行う場合、ユーザは、時刻と番組の指定のみを行う。設定実行部１１６は、ユーザが指定した番組から必要な機器と割り当て可能な機器を特定し、自動で機器の予約を行う。設定実行部１１６は、ユーザが指定した時刻になると、特定された機器をプログラムに応じた設定に変更する。
【００５３】
なお、ＦＭＳサーバ１００は、各機器から設定値のデータセットを受け取り、それを書き戻すようにしても良い。これは、機器自体が複数の設定値を丸ごとバックアップするような仕組み（図１の設定情報保持部１１５に相当）を持っている場合、機器独自のバイナリデータやＸＭＬ,ＪＳＯＮなどのテキスト構造によりデータを取得し、それを書き戻すことで設定をリコールするケースに相当する。
【００５４】
また、機器自体が設定をプリセットとして保持し、ＦＭＳサーバ１００がプリセットの設定を呼び出すようにしても良い。これは、外部にデータとして取り出すことはできないが、機器内部にプリセットとして保存されているケースに相当する。例えば、ＦＭＳは、プリセット番号のようなものを指定してその設定を呼び出すことができる。
【００５５】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００５６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５７】
なお、以下のような構成も本開示の技術的範囲に属する。
（１）
複数の機器と、
複数の前記機器とＩＰ伝送路で接続されたネットワーク管理装置と、を備え、
前記ネットワーク管理装置は、
複数の前記機器のうち、少なくとも一部の機器が接続される経路の設定と、接続される前記少なくとも一部の機器の制御に関するパラメータの設定とを実行する設定実行部を有する、ネットワークシステム。
（２）
前記ネットワーク管理装置は、
複数の前記機器の設定に関する設定情報を登録する設定情報登録部を有し、
前記設定実行部は、前記設定情報に基づいて前記設定を実行する、前記（１）に記載のネットワークシステム。
（３）
前記設定情報登録部は、ユーザが入力した情報に基づいて前記設定情報を登録する、前記（２）に記載のネットワークシステム。
（４）
前記ネットワーク管理装置は、
前記設定情報を保持する設定情報保持部を有する、前記（２）に記載のネットワークシステム。
（５）
前記ネットワーク管理装置は、
前記設定実行部による前記設定の実行のスケジュールを管理するスケジュール管理部を有する、前記（１）〜（４）のいずれかに記載のネットワークシステム。
（６）
前記ネットワーク管理装置は、
複数の前記機器が接続されていることを認識する機器認識部を有し、前記設定実行部は、接続されていることが認識された複数の前記機器について前記設定を実行する、前記（１）〜（５）のいずれかに記載のネットワークシステム。
（７）
複数の前記機器は、前記経路を変更するネットワークスイッチを含み、前記設定実行部は、前記パラメータの設定により前記ネットワークスイッチの設定を変更する、前記（１）〜（６）のいずれかに記載のネットワークシステム。
（８）
複数の前記機器は映像機器を含み、前記設定実行部は、前記パラメータの設定により４ＫとＨＤの設定変更、画質設定の変更、又は動作周波数の変更を行う、前記（１）〜（７）のいずれかに記載のネットワークシステム。
（９）
複数の前記機器は、異なる位置に設置された複数のスタジオに含まれる、前記（１）〜（８）のいずれかに記載のネットワークシステム。
（１０）
複数の前記機器は、映像を撮影するための中継車に含まれる、前記（１）〜（８）のいずれかに記載のネットワークシステム。
（１１）
複数の機器とＩＰ伝送路で接続されたネットワーク管理装置であって、  複数の前記機器のうち、少なくとも一部の機器が接続される経路の設定と、接続される前記少なくとも一部の機器の制御に関するパラメータの設定とを実行する設定実行部を有する、ネットワーク管理装置。
（１２）
複数の機器とＩＰ伝送路で接続されたネットワーク管理装置における方法であって、
複数の前記機器のうち、少なくとも一部の機器が接続される経路の設定と、接続される前記少なくとも一部の機器の制御に関するパラメータの設定とを実行することを有する、ネットワーク管理方法。
【符号の説明】
【００５８】
１００    ＦＭＳサーバ
１１２    機器認識部
１１４    設定情報登録部
１１５    設定情報保持部
１１６    設定実行部
１１８    スケジュール管理部
【図１】
2020054391.tif 000003
【図２】
2020054391.tif 000004
【図３】
2020054391.tif 000005
【図４】
2020054391.tif 000006
【国際調査報告】
2020054391.tif 000007
2020054391.tif 000008
2020054391.tif 000009
2020054391.tif 000010